(57)【要約】  【課題】  原稿の抜けや、原稿のページ順序間違いによる手戻りの発生を防止して、生産性の低下を防止することができる画像形成装置およびその制御方法を提供する。  【解決手段】  画像読取部２が原稿を読み取った際に、当該原稿に付されたＲＦＩＤに記録された情報をＲＦＩＤ読取部２１が読み取り、ページ情報取得部３１が、ＲＦＩＤ読取部２１が読み取った情報から、読み取られた原稿のページ番号を取得する。そして、制御部３が、ページ番号取得部３１が取得したページ番号に基づいて、画像読取部２が読み取った原稿の抜けや順序違い等の異常を検知する。【選択図】        図１
2006254058.tif 000002
【特許請求の範囲】
【請求項１】
原稿を読み取って画像データを生成する画像読取手段と、該画像読取手段が読み取る原稿に付されたＲＦＩＤから該ＲＦＩＤに記録された情報を読み取る情報読取手段とを具備する画像形成装置において、
前記情報読取手段が読み取った情報から原稿のページ番号を取得するページ番号取得手段と、
前記ページ番号取得手段が取得したページ番号に基づいて、前記画像読取手段が読み取った原稿の異常を検知する異常検知手段と
を具備することを特徴とする画像形成装置。
【請求項２】
前記異常検知手段は、
前記画像読取手段が読み取った原稿の数を取得する原稿数取得手段を具備し、
前記ページ番号取得手段が取得したページ番号の最大値と前記原稿数取得手段が取得した原稿数に基づいて、前記画像読取装置が読み取った原稿のページ抜けを検知する
ことを特徴とする請求項１記載の画像形成装置。
【請求項３】
前記異常検知手段は、前記ページ番号取得手段が取得したページ番号の並び順に基づいて、前記画像読取装置が読み取った原稿の並び順違いを検知することを特徴とする請求項１記載の画像形成装置。
【請求項４】
前記ページ番号取得手段が取得したページ番号の並び順に基づいて、前記画像読取手段が生成した画像データを並び替えるソート手段とさらに具備することを特徴とする請求項３記載の画像形成装置。
【請求項５】
原稿を読み取って画像データを生成する画像読取手段と、該画像読取手段が読み取る原稿に付されたＲＦＩＤから該ＲＦＩＤに記録された情報を読み取る情報読取手段とを具備する画像形成装置の制御方法であって、
異常検知手段が、前記情報読取手段が読み取った情報から原稿のページ番号を取得し、該取得したページ番号に基づいて、前記画像読取手段が読み取った原稿の異常を検知することを特徴とする画像形成装置の制御方法。
【請求項６】
前記異常検知手段が、前記画像読取手段が読み取った原稿の数を取得し、該取得した原稿数と前記ページ番号の最大値とに基づいて、前記画像読取装置が読み取った原稿のページ抜けを検知することを特徴とする請求項５記載の画像形成装置方法。
【請求項７】
前記異常検知手段は、前記ページ番号の並び順に基づいて、前記画像読取装置が読み取った原稿の並び順違いを検知することを特徴とする請求項５記載の画像形成装置の制御方法。
【請求項８】
ソート手段が、前記ページ番号の並び順に基づいて、前記画像読取手段が生成した画像データを並び替えることを特徴とする請求項７記載の画像形成装置の制御方法。
【発明の詳細な説明】
【技術分野】
【０００１】
本発明は、画像形成装置およびその制御方法に関し、特に、ページ番号が記録されたＲＦＩＤが付された原稿に基づいて画像を形成する画像形成装置およびその制御方法に関する。
【背景技術】
【０００２】
多量の原稿を複写する場合、複写に要する時間、つまり、複写を行う画像形成装置の生産性が注目される。
【０００３】
画像形成装置の生産性を向上させる技術としては、例えば、特許文献１に記載されたものがある。特許文献１に記載された技術では、画像形成装置の制御部が読み取った原稿のサイズと印刷設定から、当該原稿の印刷に用いる用紙サイズを計算し、読み取った原稿のページ数と印刷設定からジョブの総印刷ページ数を計算して、それが所定の閾値以上か否かを判定する。そして、印刷総ページ数が閾値以上であれば当該原稿の用紙サイズで、かつ用紙の向きがＬＥＦ(Long-Edge Feed)に設定されている用紙トレイを選択する。ＬＥＦの方が一般に１ページあたりの印刷時間が短いので、このような技術を採用することにより、多ページ数を印刷する場合には印刷時間を短くするようにしている。
【０００４】
また、近年、ＲＦＩＤ(Radio Frequency Identification)を利用したタグが様々な分野で利用されるようになってきており、画像形成装置においても、用紙にＲＦＩＤタグを付し、この用紙を利用して不可視情報を用紙に記録する技術も提案されている（例えば、特許文献２参照）。
【特許文献１】特開２００３−１４６４６０号公報
【特許文献２】特開２００２−３３７４２６号公報
【発明の開示】
【発明が解決しようとする課題】
【０００５】
ところで、特許文献１に記載された画像形成装置では、総ページ数の検出による処理性能の向上は実現できるものの、多量の複写を行う場合にありがちな、原稿の抜けや原稿のページ順序間違いに複写完了後に気が付いて、初めから複写をやり直す、いわゆる手戻りによる生産性の低下に対応することはできなかった。
【０００６】
そこで、本発明は、原稿の抜けや、原稿のページ順序間違いによる手戻りの発生を防止して、生産性の低下を防止することができる画像形成装置およびその制御方法を提供することを目的とする。
【課題を解決するための手段】
【０００７】
上述した目的を達成するため、請求項１の発明は、原稿を読み取って画像データを生成する画像読取手段と、該画像読取手段が読み取る原稿に付されたＲＦＩＤから該ＲＦＩＤに記録された情報を読み取る情報読取手段とを具備する画像形成装置において、前記情報読取手段が読み取った情報から原稿のページ番号を取得するページ番号取得手段と、前記ページ番号取得手段が取得したページ番号に基づいて、前記画像読取手段が読み取った原稿の異常を検知する異常検知手段とを具備することを特徴とする。
【０００８】
また、請求項２の発明は、請求項１の発明において、前記異常検知手段は、前記画像読取手段が読み取った原稿の数を取得する原稿数取得手段を具備し、前記ページ番号取得手段が取得したページ番号の最大値と前記原稿数取得手段が取得した原稿数に基づいて、前記画像読取装置が読み取った原稿のページ抜けを検知することを特徴とする。
【０００９】
また、請求項３の発明は、請求項１の発明において、前記異常検知手段は、前記ページ番号取得手段が取得したページ番号の並び順に基づいて、前記画像読取装置が読み取った原稿の並び順違いを検知することを特徴とする。
【００１０】
また、請求項４の発明は、請求項３の発明において、前記ページ番号取得手段が取得したページ番号の並び順に基づいて、前記画像読取手段が生成した画像データを並び替えるソート手段とさらに具備することを特徴とする。
【００１１】
また、請求項５の発明は、原稿を読み取って画像データを生成する画像読取手段と、該画像読取手段が読み取る原稿に付されたＲＦＩＤから該ＲＦＩＤに記録された情報を読み取る情報読取手段とを具備する画像形成装置の制御方法であって、異常検知手段が、前記情報読取手段が読み取った情報から原稿のページ番号を取得し、該取得したページ番号に基づいて、前記画像読取手段が読み取った原稿の異常を検知することを特徴とする。
【００１２】
また、請求項６の発明は、請求項５の発明において、前記異常検知手段が、前記画像読取手段が読み取った原稿の数を取得し、該取得した原稿数と前記ページ番号の最大値とに基づいて、前記画像読取装置が読み取った原稿のページ抜けを検知することを特徴とする。
【００１３】
また、請求項７の発明は、請求項５の発明において、前記異常検知手段は、前記ページ番号の並び順に基づいて、前記画像読取装置が読み取った原稿の並び順違いを検知することを特徴とする。
【００１４】
また、請求項８の発明は、請求項７の発明において、ソート手段が、前記ページ番号の並び順に基づいて、前記画像読取手段が生成した画像データを並び替えることを特徴とする。
【発明の効果】
【００１５】
本発明によれば、原稿の抜けや、原稿のページ順序間違いによる手戻りの発生を防止して、生産性の低下を防止することができる。
【発明を実施するための最良の形態】
【００１６】
以下、本発明に係る画像形成装置およびその制御方法の一実施の形態について、添付図面を参照して詳細に説明する。
【実施例１】
【００１７】
図１は、本発明を適用した複合機の機能的な概略構成を示した図である。同図に示すように、複合機１は、画像読取部２と、制御部３、画像形成部４、ＵＩ部５を具備して構成される。なお、複合機１は、プリンタやファクシミリとして動作することも可能であり、これらの動作を行うための構成も有している（一般的な構成であるため、ここでは省略している）。
【００１８】
画像読取部２は、図示しない撮像素子等により原稿を読み取って画像データを生成するものであり、他にＲＦＩＤ読取部２１を備えている。ＲＦＩＤ読取部２１は、原稿に付されたＲＦＩＤから、当該ＲＦＩＤに記録されている情報を読み取るものである。
【００１９】
制御部３は、複合機１の全体を制御するもので、各部を制御する構成（不図示）に加えて、ページ情報取得部３１、対応情報管理部３２、画像メモリ３３、ソート処理部３４を備えている。ページ情報取得部３１は、画像読取装置２が読み取ったページの数や、ＲＦＩＤ読取部２１が読み取った原稿のページ番号等を取得する。対応情報管理部３２は、ＲＦＩＤ読取部２１が読み取ったページ番号と、画像読取装置２が生成した画像データとの対応を管理する。画像メモリ３３は、画像読取装置２が生成した画像データを記憶する。ソート処理部３４は、画像メモリ３３に記憶されている画像データを出力する際に、必要に応じてソート処理を実行する。なお、制御部３は、実際には、ＣＰＵ(Central Processing Unit)やＲＯＭ(Read Only Memory)、ＲＡＭ(Random Access Memory)、ＡＳＩＣ(Application Specific Integrated Circuit)等で構成され、プログラムに基づいてＣＰＵを動作させることで実現される。
【００２０】
画像形成部４は、画像データに基づいて用紙上に画像を形成するものであるが、他にＲＦＩＤ記録部４１を備えている。ＲＦＩＤ記録部４１は、画像を形成した用紙に付されたＲＦＩＤにページ番号等の情報を記録するものであるが、その記録を行う必要がなければ不要な構成である。
【００２１】
ＵＩ部５は、複合機１のユーザインタフェイスであり、タッチパネル等によって構成される。
【００２２】
次に、複合機１の動作について説明するが、まず、複合機１で画像の形成（印刷）を行う場合に、用紙に付されたＲＦＩＤにページ番号を記録する動作について説明する。ただし、ページ番号の記録は、他のプリンタ等で行ってもよく、必ずしも複合機１で行う必要はない。
【００２３】
図２は、複合機１の画像形成処理の動作の流れを示すフローチャートである。複合機１は、画像形成処理を開始すると、まず、ページ番号カウンタＣの値を１に初期化する（ステップ１０１）。続いて、用紙がフィードされると（ステップ１０２でＹＥＳ）、ＲＦＩＤ記憶部４１が、用紙に付されたＲＦＩＤにページ番号カウンタＣの値をページ番号として記録し（ステップ１０３）、ページ番号カウンタＣの値を１だけインクリメントする（ステップ１０４）。このページ番号の記録とページ番号カウンタＣの値のインクリメントは、印刷が完了するまでの間、用紙がフィードされる毎に行われ（ステップ１０５でＮＯ、ステップ１０２でＹＥＳ）、印刷が完了すると（ステップ１０５でＹＥＳ）、複合機１は、画像形成処理を終了する。
【００２４】
次に、複合機１による複写処理について説明する。ここでは、複合機１は、原稿の全ページを読み取って蓄積した後に、複写、すなわち、印刷処理を行う設定で動作するものとする。また、複合機１は、原稿の読み込み前には、利用者に自動ソートモードの指定をさせない設定で動作するものとする。自動ソートモードとは、原稿の読み取り順がページ順となっていなかった場合に、印刷出力がページ順となるように自動でソートを行うモードである。
【００２５】
図３乃至８は、複合機１の複写処理の流れを示すフローチャートである。なお、以下に説明する処理は、複合機１の制御部３による処理である。
【００２６】
複合機１が複写処理を開始すると、制御部３は、まず、自動ソートモードをＯＦＦに設定し（図３のステップ２０１）、続いて、入力ページカウンタｎの値を１に初期化し（ステップ２０２）、画像メモリ領域番号Ｘの値を１に初期化する（ステップ２０３）。
【００２７】
次に、制御部３は、読み込む原稿に次ページがあれば、画像読取部２に原稿の読み取りを行わせるが、最初の処理では、当然のことながら読み込むべき原稿が存在するため（ステップ２０４でＹＥＳ）、画像読取部２に原稿の読み取りを行わせ、その際にＲＦＩＤ読取部２１が原稿に付されたＲＦＩＤから読み取った原稿のページ番号を、ページ番号ｍとして取得する（ステップ２０５）。
【００２８】
続いて、制御部３は、ページ番号ｍの値と入力ページカウンタｎの値を比較する。比較の結果、両者が一致すれば（ステップ２０６）、読み取った原稿の順とページ番号が一致すると判断できるため、制御部３は、画像読取部２が読み取ったページイメージを画像メモリ３３の領域Ｘに格納し（ステップ２０７）、領域Ｘとページ番号ｍの対応を対応情報管理部３２に記録する（ステップ２０８）。対応情報管理部３２に記録される領域Ｘとページ番号ｍの対応は、例えば、図９に示すようなものとなる。
【００２９】
続いて、制御部３は、画像メモリの領域を示すＸの値を１だけインクリメントし（ステップ２０９）、入力ページカウンタｎの値を１だけインクリメントする（ステップ２１０）。
【００３０】
これらの処理は、読み取るべき原稿がある間、繰り返して行われ（ステップ２０４でＹＥＳ）、これらの処理の過程でページ番号ｍの値と入力ページカウンタｎの値が不一致となることがないまま、全ての原稿の読み取りを終了すると（ステップ２０４でＮＯ）、複合機１は、蓄積した画像データ（ページイメージ）の出力処理に移る。
【００３１】
画像データの出力処理では、制御部３は、まず、出力ページカウンタＮの値を１に初期化する（図４のステップ２１１）。続いて、制御部３は、画像メモリ３３の領域Ｎからページイメージを読み出して画像形成部４へ出力する（ステップ２１２）。そして、画像メモリ３３に領域（Ｎ＋１）が存在すれば（ステップ２１３でＹＥＳ）、出力ページカウンタＮの値を１だけインクリメントして（ステップ２１４）、同様の処理を繰り返す。これらの処理は、画像メモリ３３に格納されているページイメージを、その領域１から順に読み出して画像形成部４へ出力するものである。そして、全てのページイメージを読み出したら、つまり、画像メモリ３３に領域（Ｎ＋１）が存在しなければ（ステップ２１３でＮＯ）、複合機１は、複写処理を終了する。
【００３２】
一方、複合機１が原稿の読み取りを行っている過程で、ページ番号ｍの値と入力ページカウンタｎの値が不一致となった場合には（図３のステップ２０６でＮＯ）、制御部３は、ＵＩ部５に警告とその後の処理の選択肢を表示する（ステップ２１５）。ページ番号ｍの値と入力ページカウンタｎの値が不一致となる理由としては、原稿のページ抜け若しくは原稿のページ順違いが疑われるため、これらを警告として表示し、その後の処理の選択肢としては、「自動ソートモードをＯＮにして処理を継続」、「自動モードをＯＦＦのまま処理を継続」、「処理の中断」がある。
【００３３】
利用者がＵＩ部５に表示された選択肢から「自動ソートモードをＯＮにして処理を継続」を選択すると（ステップ２１６でＹＥＳ、ステップ２１７でＹＥＳ）、制御部３は、最後に実行したステップ２０５で取得したページ番号ｍの値を、最大ページ番号Ｍに代入する（図５のステップ２１８）。
【００３４】
次に、制御部３は、読み込むべき原稿があれば（ステップ２１９でＹＥＳ）、画像読取部２に原稿の読み取りを行わせ、その際にＲＦＩＤ読取部２１が原稿に付されたＲＦＩＤから読み取った原稿のページ番号を、ページ番号ｍとして取得する（ステップ２２０）。そして、取得したページ番号ｍの値と最大ページ番号Ｍの値を比較し、ページ番号ｍの値の方が大きければ（ステップ２２１でＹＥＳ）、そのページ番号ｍの値を最大ページ番号Ｍに代入し（ステップ２２２）、それ以外であれば、最大ページ番号Ｍの値をそのまま保持する。
【００３５】
続いて、制御部３は、画像読取部２が読み取ったページイメージを画像メモリ３３の領域Ｘに格納し（ステップ２２３）、領域Ｘとページ番号ｍの対応を対応情報管理部３２に記録して（ステップ２２４）、画像メモリの領域を示すＸの値を１だけインクリメントし（ステップ２２５）、入力ページカウンタｎの値を１だけインクリメントする（ステップ２２６）。
【００３６】
これらの処理は、読み取るべき原稿がある間、繰り返して行われ（ステップ２１９でＹＥＳ）、全ての原稿の読み取りを終了すると（ステップ２１９でＮＯ）、複合機１は、蓄積した画像データ（ページイメージ）の出力処理に移る。
【００３７】
画像データの出力処理では、制御部３は、まず、最大ページ番号Ｍの値と入力ページカウンタｎの値を比較する。その結果、最大ページ番号Ｍの値の方が大きければ（図６のステップ２２７でＹＥＳ）、制御部３は、ＵＩ部５に警告とその後の処理の選択肢を表示する（ステップ２２８）。最大ページ番号Ｍの値の方が大きい場合、原稿に（Ｍ−ｎ）に相当するページ数の抜けがあることが疑われるため、警告では、この旨を表示し、その後の処理の選択肢としては、「処理の継続」、「処理の中断」を提示する。
【００３８】
利用者により「処理の継続」が指示されるか（ステップ２２９でＹＥＳ）、最大ページ番号Ｍの値と入力ページカウンタｎの値が一致した場合には（ステップ２２７でＮＯ）、制御部３は、出力ページカウンタＮの値を１に初期化する（ステップ２３０）。
【００３９】
続いて、制御部３は、対応情報管理部３２に記録した領域Ｘとページ番号ｍの対応に、出力ページカウンタＮに対応する情報、つまり、ページ番号Ｎが記録されていれば（ステップ２３１でＹＥＳ）、対応する領域ｘを特定し（ステップ２３２）、画像メモリ３３の領域ｘからページイメージを読み出して画像形成部４へ出力する（ステップ２３３）。そして、画像メモリ３３に未処理、つまり、ページイメージを読み出していない領域があれば（ステップ２３４でＹＥＳ）、出力ページカウンタＮの値を１だけインクリメントして（ステップ２３５）、同様の処理を繰り返し、画像メモリ３３の全ての領域からページイメージを読み出すと（ステップ２３４でＮＯ）、複合機１は、複写処理を終了する。
【００４０】
ここで、ステップ２３２における領域ｘの特定処理について補足する。図９は、領域Ｘとページ番号ｍの対応を示したもので、同図（ａ）は、原稿にページ抜けやページ順違いが無かった場合を、同図（ｂ）は、原稿にページ順違いがあった場合を、同図（ｃ）は、原稿に抜けがあった場合を示している。原稿にページ抜けやページ順違いが無かった場合には、同図（ａ）に示すように、画像メモリ３３の領域番号とページ番号が一致するため、領域の順にページイメージを読み出すことで、ページ順の出力が可能であるが、原稿にページ抜け若しくはページ順違いがあった場合には、同図（ｂ）、同図（ｃ）に示すように、画像メモリ３３の領域番号とページ番号が不一致となるため、領域の順にページイメージを読み出すことでは、ページ順での出力が不可能となる。このため、制御部３は、出力ページカウンタＮの値を用いて、Ｎと一致するページ番号を領域Ｘとページ番号ｍの対応から検索し、検索されたページ番号に対応する領域からページイメージを読み出すようにしている。
【００４１】
また、図３のステップ２１５の処理でＵＩ部５に警告とその後の処理の選択肢を表示した際に、利用者が「自動モードをＯＦＦのまま処理を継続」を選択した場合には（ステップ２１６でＹＥＳ、ステップ２１７でＮＯ）、制御部３は、最後に実行したステップ２０５で取得したページ番号ｍの値を、最大ページ番号Ｍに代入する（図７のステップ２３６）。
【００４２】
続いて、制御部３は、読み込むべき原稿があれば（ステップ２３７でＹＥＳ）、画像読取部２に原稿の読み取りを行わせ、その際にＲＦＩＤ読取部２１が原稿に付されたＲＦＩＤから読み取った原稿のページ番号を、ページ番号ｍとして取得する（ステップ２３８）。そして、取得したページ番号ｍの値と最大ページ番号Ｍの値を比較し、ページ番号ｍの値の方が大きければ（ステップ２３９でＹＥＳ）、そのページ番号ｍの値を最大ページ番号Ｍに代入し（ステップ２４０）、それ以外であれば、最大ページ番号Ｍの値をそのまま保持する。
【００４３】
次に、制御部３は、画像読取部２が読み取ったページイメージを画像メモリ３３の領域Ｘに格納し（ステップ２４１）、画像メモリの領域を示すＸの値を１だけインクリメントし（ステップ２４２）、入力ページカウンタｎの値を１だけインクリメントする（ステップ２４３）。
【００４４】
これらの処理は、読み取るべき原稿がある間、繰り返して行われ（ステップ２３７でＹＥＳ）、全ての原稿の読み取りを終了すると（ステップ２３７でＮＯ）、複合機１は、蓄積した画像データ（ページイメージ）の出力処理に移る。
【００４５】
画像データの出力処理では、制御部３は、まず、最大ページ番号Ｍの値と入力ページカウンタｎの値を比較する。その結果、最大ページ番号Ｍの値の方が大きければ（図４のステップ２４４でＹＥＳ）、制御部３は、ＵＩ部５に警告とその後の処理の選択肢を表示する（ステップ２４５）。最大ページ番号Ｍの値の方が大きい場合、原稿に（Ｍ−ｎ）に相当するページ数の抜けがあることが疑われるため、警告では、この旨を表示し、その後の処理の選択肢としては、「処理の継続」、「処理の中断」を提示する。
【００４６】
利用者により「処理の継続」が指示されるか（ステップ２４６でＹＥＳ）、最大ページ番号Ｍの値と入力ページカウンタｎの値が一致した場合には（ステップ２４４でＮＯ）、制御部３は、出力ページカウンタＮの値を１に初期化する（ステップ２１１）。続いて、制御部３は、画像メモリ３３の領域Ｎからページイメージを読み出して画像形成部４へ出力する（ステップ２１２）。そして、画像メモリ３３に領域（Ｎ＋１）が存在すれば（ステップ２１３でＹＥＳ）、出力ページカウンタＮの値を１だけインクリメントして（ステップ２１４）、同様の処理を繰り返す。これらの処理は、画像メモリ３３に格納されているページイメージを、その領域１から順に読み出して画像形成部４へ出力するものである。そして、全てのページイメージを読み出したら、つまり、画像メモリ３３に領域（Ｎ＋１）が存在しなければ（ステップ２１３でＮＯ）、複合機１は、複写処理を終了する。
【００４７】
また、制御部３がＵＩ部５に警告と選択肢を表示した際に、利用者が「処理の中断」を指示した場合には（図３のステップ２１６でＮＯ、図６のステップ２２９でＮＯ、図４のステップ２４６でＮＯのいずれか）、制御部３は、画像読取部２に残りの原稿を排出させ（図８のステップ２４７）、画像メモリ３３のページイメージを格納した領域をクリアして（ステップ２４８）、複写処理を終了する。
【実施例２】
【００４８】
実施例２では、実施例１で説明した複合機１が、複写処理の実行前に利用者が自動ソートモードのＯＮ／ＯＦＦを指定するととも、原稿の全ページを読み取って蓄積した後に印刷処理を行う設定で動作する場合の動作を説明する。図１０は、実施例２における複合機１の複写処理の流れを示すフローチャートである。
【００４９】
複合機１が複写処理を開始すると、制御部３は、まず、入力ページカウンタｎの値を１に初期化し（ステップ３０１）、画像メモリ領域番号Ｘの値を１に初期化して（ステップ３０２）、ＵＩ部５に自動ソートモードのＯＮ／ＯＦＦを指定させる選択肢を表示する（ステップ３０３）。
【００５０】
選択肢を表示した結果、利用者が自動ソートモードをＯＮに指定した場合には（ステップ３０４でＹＥＳ）、実施例１で説明したステップ２１８(図５参照）以降の処理を実行する。
【００５１】
一方、利用者が自動ソートモードをＯＦＦに指定した場合には（ステップ３０４でＮＯ）、実施例１で説明したステップ２３６(図７参照）以降の処理を実行する。
【実施例３】
【００５２】
実施例３では、実施例１で説明した複合機１が、複写処理の実行前に利用者が自動ソートモードのＯＮ／ＯＦＦを指定するととも、自動ソートモードがＯＮに指定された場合のみ原稿の全ページを読み取って蓄積した後に印刷処理を行う設定で動作する場合の動作を説明する。図１１および図１２は、実施例３における複合機１の複写処理の流れを示すフローチャートである。
【００５３】
複合機１が複写処理を開始すると、制御部３は、まず、入力ページカウンタｎの値を１に初期化して（図１１のステップ４０１）、ＵＩ部５に自動ソートモードのＯＮ／ＯＦＦを指定させる選択肢を表示する（ステップ４０２）。
【００５４】
選択肢を表示した結果、利用者が自動ソートモードをＯＮに指定した場合には（ステップ４０３でＹＥＳ）、制御部３は、画像メモリ領域番号Ｘの値を１に初期化して（ステップ４０４）、実施例１で説明したステップ２１８(図５参照）以降の処理を実行する。
【００５５】
一方、利用者が自動ソートモードをＯＦＦに指定した場合には（ステップ４０３でＮＯ）、制御部３は、まず、最大ページ番号Ｍの値を１に初期化する（ステップ４０５）。
【００５６】
続いて、制御部３は、読み込むべき原稿があれば（ステップ４０６でＹＥＳ）、画像読取部２に原稿の読み取りを行わせ、その際にＲＦＩＤ読取部２１が原稿に付されたＲＦＩＤから読み取った原稿のページ番号を、ページ番号ｍとして取得する（ステップ４０７）。そして、取得したページ番号ｍの値と最大ページ番号Ｍの値を比較し、ページ番号ｍの値の方が大きければ（ステップ４０８でＹＥＳ）、そのページ番号ｍの値を最大ページ番号Ｍに代入し（ステップ４０９）、それ以外であれば、最大ページ番号Ｍの値をそのまま保持する。
【００５７】
次に、制御部３は、画像読取部２が読み取ったページイメージを画像メモリ３３の領域Ｘに格納し（ステップ４１０）、続けて、その領域Ｘからページイメージを読み出して画像形成部４へ出力する（ステップ４１１）。そして、入力ページカウンタｎの値を１だけインクリメントする（ステップ４１２）。
【００５８】
これらの処理は、読み取るべき原稿がある間、繰り返して行われ（ステップ４０６でＹＥＳ）、全ての原稿の読み取りを終了すると（ステップ４０６でＮＯ）、制御部３は、最大ページ番号Ｍの値と入力ページカウンタｎの値を比較する。
【００５９】
その結果、最大ページ番号Ｍの値の方が大きければ（ステップ４１３でＹＥＳ）、制御部３は、ＵＩ部５に警告を表示し（ステップ４１４）、複写処理を終了する。最大ページ番号Ｍの値の方が大きい場合、原稿に（Ｍ−ｎ）に相当するページ数の抜けがあることが疑われるため、警告では、この旨を表示する。
【００６０】
一方、最大ページ番号Ｍの値と入力ページカウンタｎの値が一致した場合には（ステップ４１３でＮＯ）、複合機１は、そのまま、複写処理を終了する。
【図面の簡単な説明】
【００６１】
【図１】本発明を適用した複合機の機能的な概略構成を示した図である。
【図２】複合機１の画像形成処理の動作の流れを示すフローチャートである。
【図３】複合機１の複写処理の流れを示すフローチャートである。
【図４】複合機１の複写処理の流れを示すフローチャートである。
【図５】複合機１の複写処理の流れを示すフローチャートである。
【図６】複合機１の複写処理の流れを示すフローチャートである。
【図７】複合機１の複写処理の流れを示すフローチャートである。
【図８】複合機１の複写処理の流れを示すフローチャートである。
【図９】対応情報管理部３２に記録される領域Ｘとページ番号ｍの対応情報の例を示した図である。
【図１０】実施例２における複合機１の複写処理の流れを示すフローチャートである。
【図１１】実施例３における複合機１の複写処理の流れを示すフローチャートである。
【図１２】実施例３における複合機１の複写処理の流れを示すフローチャートである。
【符号の説明】
【００６２】
１    複合機
２    画像読取部
３    制御部
４    画像形成部
５    ＵＩ部
２１    ＲＦＩＤ読取部
３１    ページ情報取得部
３２    対応情報管理部
３３    画像メモリ
３４    ソート処理部
４１    ＲＦＩＤ記録部
【図１】
2006254058.tif 000003
【図２】
2006254058.tif 000004
【図３】
2006254058.tif 000005
【図４】
2006254058.tif 000006
【図５】
2006254058.tif 000007
【図６】
2006254058.tif 000008
【図７】
2006254058.tif 000009
【図８】
2006254058.tif 000010
【図９】
2006254058.tif 000011
【図１０】
2006254058.tif 000012
【図１１】
2006254058.tif 000013
【図１２】
2006254058.tif 000014